(57)【特許請求の範囲】
【請求項１】
天井埋め込み孔の下面周囲に当接する周縁部を有して前記天井埋め込み孔に配置され、既設の天井埋め込み型照明器具の器具本体を覆い隠す反射体と、
前記器具本体に連結して前記反射体を前記天井埋め込み孔に固定する固定手段と、
前記反射体の天井壁の下面に取付けられた端子台及びこの端子台に接続される点灯装置と、
前記天井壁の長手方向両端部に形成されたソケット取付け孔と、
電線を介して前記点灯装置に接続されるとともに、前記反射体の裏面側から前記ソケット取付け孔に挿着されるランプソケットと、
前記天井壁にランプソケットが通過できる大きさで形成され、前記電線が通過する電線通孔と、
前記端子台、前記点灯装置、これら端子台及び点灯装置に接続された前記電線、及び前記電線通孔を覆い隠して前記反射体に取付けられた中央反射板と、
を具備したことを特徴とする照明器具。
【発明の詳細な説明】
【０００１】
【発明の属する技術分野】
本発明は、天井に埋め込まれた既設の天井埋め込み型照明器具の器具本体を利用して、新規の照明器具に更新（リニューアル）できるリニューアル型の照明器具に関する。
【０００２】
【従来の技術】
長期間使用して老朽化した照明器具は、その放電灯安定器等の点灯装置の劣化や反射体の汚れによって、床面照度の低下や視環境を損なうことは避けられない。そこで、老朽化した既設の天井埋め込み型照明器具を、新規の照明器具に更新できるリニューアル型の照明器具が、特開平８−１８０７２６号公報で提案されている。この器具は、既設の天井埋め込み型照明器具の器具本体を利用して照明器具を更新するので、既設の器具本体を配設したまま取外す必要がなく、新規な照明器具へと更新でき、取付け作業が容易であって、かつ、設備コストを抑えることができ、しかも、更新時の廃棄物が少なく、外観も向上できる等優れた利点がある。
【０００３】
又、前記公報中の図１０には、端子台、安定器、及びソケットを取付けた細長い基体を省略して既設の天井埋め込み型照明器具を新規な照明器具へと更新できる技術の記載がある。つまり、反射体の下面の幅方向中央部に安定器及び端子台を配設するとともに、これらを断面Ｖ字状の中央反射体で覆って、既設の器具本体のケース内の安定器等の位置や大きさに関係なく、更新される照明器具の安定器及び端子台等を配置できるようにしてある。そして、前記公報の図１０には、ソケットを反射体に取付けた構成が記載され、かつ、反射体が基体を兼ねることが示唆されている。
【０００４】
【発明が解決しようとする課題】
前記公報には、前記基体を用いる技術において、この基体のランプソケット取付け部に対しその下側に突出してソケットを取付けるという記載があるから、前記公報の図１０においてもソケットは反射体を挿通して取付けられていると推測できる。
【０００５】
ところで、ソケットと反射体下面の安定器とは電線を介して電気的に接続しなければならないが、この接続構造については前記公報に記載がない。前記接続構造は種々考えられるが、その実施に際してリニューアルの利点の一つである視環境を向上できるという点を損なわないように、具体的には前記電線が露出して視認されることがないように配慮する必要がある。
【０００６】
また、前記公報の図１０に記載されたリニューアル型照明器具では、既述のようにソケットと安定器との電気的な接続構造についての記載がないので、これらの接続作業と反射体へのソケットの取付け作業との関係も不明であるが、いずれにしても、これらの作業の容易化を図ることは望まれていることである。
【０００７】
したがって、本発明が解決しようとする第１の課題は、簡単な構造によって体裁を向上できるリニューアル型の照明器具を得ることにある。
【０００８】
又、本発明が解決しようとする第２の課題は、前記第１の課題を解決しつつ反射体に対する部品の取付け作業性を向上できるリニューアル型の照明器具を得ることにある。
【０００９】
【課題を解決するための手段】
前記第１の課題を解決するために、請求項１の発明は、天井埋め込み孔の下面周囲に当接する周縁部を有して前記天井埋め込み孔に配置され、既設の天井埋め込み型照明器具の器具本体を覆い隠す反射体と、前記器具本体に連結して前記反射体を前記天井埋め込み孔に固定する固定手段と、前記反射体の天井壁の下面に取付けられた端子台及びこの端子台に接続される点灯装置と、前記天井壁の長手方向両端部に形成されたソケット取り付け孔と、電線を介して前記点灯装置に接続されるとともに前記反射体の裏面側から前記ソケット取付け孔に挿着されるランプソケットと、前記天井壁に前記ランプソケットが通過できる大きさで形成され、前記電線が通過する電線通孔と、前記端子台、前記点灯装置、これら端子台及び点灯装置に接続された前記電線、及び前記電線通孔を覆い隠して前記反射体に取付けられた中央反射板と、を具備したことを特徴とするものである。
【００１０】
この請求項１の発明に係るリニューアル型照明器具の取付け手順は、次の通りである。まず、端子台、点灯装置、及びランプソケットが夫々天井壁に取付けられた反射体を用意する。この場合、端子台及び点灯装置は反射体の天井壁の下面に取付けられ、ランプソケットは反射体の裏面側から反射体の天井壁のソケット取付け孔を挿入して天井壁の下面から突出させて取付けられる。これらソケットと点灯装置とを接続する電線は天井壁の電線通孔を通って配線され、その一端が点灯装置に接続され、他端が反射体の裏面においてソケットに接続される。そして、用意された反射体を固定手段により天井埋め込み孔に残された既設の照明器具の器具本体に連結し、それにより、前記反射体の周縁部を天井埋め込み孔の下面周囲に当接させて前記既設の器具本体を覆い隠す。次に、既に電線通孔を通して引込まれた電源線を端子台に接続した後、反射体の内側に中央反射板を取付けて、端子台、点灯装置、及び電線通孔を覆い隠す。最後に、反射体内に突出しているランプソケット間に直管型蛍光ランプを取付ける。以上の手順によりリニューアル型照明器具の取付けが完了する。
【００１１】
このようにして設置される照明器具においては、その点灯装置とランプソケットとを電気的に接続した電線を、反射体内の点灯装置側については中央反射板で覆い隠すことができるとともに、反射体の裏面側に配線されたランプソケット側については天井壁で覆い隠すことができる。又、電線通孔を通って引込まれる電源線についても中央反射板で覆い隠すことができる。したがって、ランプソケットを反射体に挿着した構成であるにも拘らず組立てられたリニューアル型照明器具の内側に電線類が露出することがない。そして、中央反射板は端子台、点灯装置、及び電線通孔を覆い隠すために必要な部品であるから、電線類を見えなくするために特別な部品を必要としない。
【００１２】
前記第２の課題を解決するために、請求項１の発明は、電線通孔をランプソケットが通過できる大きさとしたことを特徴とするものである。
【００１３】
この請求項１の発明に係る照明器具においては、その点灯装置とランプソケットとを電気的に接続した電線を、反射体内の点灯装置側については中央反射板で覆い隠すことができるとともに、反射体の裏面側に配線されたランプソケット側については天井壁で覆い隠すことができる。又、電線通孔を通って引込まれる電源線についても中央反射板で覆い隠すことができる。したがって、ランプソケットを反射体に挿着した構成であるにも拘らず組立てられたリニューアル型照明器具の内側に電線類が露出することがない。そして、中央反射板は端子台、点灯装置、及び電線通孔を覆い隠すために必要な部品であるから、電線類を見えなくするために特別な部品を必要としない。また、電線を介して予め点灯装置に接続されたランプソケットを、電線通孔に通して反射体の内側から裏面側に通して、この裏面側からソケット取付け孔に挿入して取付けることができる。そのため、点灯装置とランプソケットとを予め電線を介して接続させたアッセンブリとして取扱うことができる。
【００１４】
【発明の実施の形態】
以下、図１〜図７を参照して本発明の第１の実施の形態を説明する。
【００１５】
まず、図７に示す既設の天井埋め込み型照明器具について説明する。同図中１は下面が開放された細長い四角箱状をなす器具本体であって、これは複数の固定金具２を備えている。これらの金具２は器具本体１を横断しかつ長手方向に間隔を置いて取付けられている。器具本体１は、その固定金具２を天井３の器具取付け用天井埋め込み孔４の孔縁に引っ掛けるとともに、器具本体１の上面壁１ａを挿通する図示しない天井裏の吊りボトルにナットを螺合して締付けることによって、天井３に埋め込んで設置されている。
【００１６】
器具本体１の内部には、図示しない端子台及びこの端子台に電気的に接続された点灯装置としての放電灯安定器５が内蔵され、前記端子台には器具本体１内に引込まれた電源線としてのＦケーブルが接続される。器具本体１の長手方向両端部には、この端部を横断してソケット取付け金具６が夫々取付けられ、これらソケット金具６にはその下側から突出して一対のランプソケット７が取付けられている。各ランプソケット７は図示しない電線を介して放電灯安定器５と電気的に接続されている。
【００１７】
前記固定金具２は一対のねじ孔２ａ（図２参照）を有しており、これらねじ孔２ａに螺合される化粧ねじ８によって器具本体１の下側に下面開放型の反射体９が取付けられている。反射体９は、天井埋め込み孔４の下面周囲に当接する周縁部９ａを有し、前記取付けにより器具本体１を覆い隠している。この反射体９の長手方向両端部には夫々図示しないソケット通孔が設けられ、これら通孔を通って前記ランプソケット７が反射体９内に挿入されている。そして、器具本体１の長手方向に対向するランプソケット７間には直管型蛍光ランプ１０が取付けられている。
【００１８】
次に、図１〜図６を参照して前記既設の照明器具をリニューアルする照明器具２１について説明する。この器具２１は、図１、図２に示されるように反射体２２と、固定手段としてのねじ２３と、端子台２４と、点灯装置としての放電灯安定器２５と、複数のソケット取付け孔２６と、複数のランプソケット２７と、複数の電線通孔２８と、中央反射板２９とを具備している。
【００１９】
詳しくは、既設の反射体９に代えて用いられる反射体２２は、図１〜図３に示されるように天井壁２２ａの幅方向両側から斜めに側壁２２ｂを夫々折り曲げるとともに、これらの長手方向両端を夫々端壁２２ｃで閉じて下面開放型に形成されていて、その下端部には天井埋め込み孔４の下面周囲に当接する周縁部２２ｄを有している。この反射体２２は、天井壁２２ａの幅方向両端部に開けられた楕円状の取付け孔３１を夫々通って前記固定金具２のねじ孔２ａに螺合されるねじ２３によって固定金具２に連結され、それにより、既設の器具本体１に固定されてこの本体１を下側から覆い隠して設けられている。ねじ２１には、新たな化粧ねじを用いてもよいが、既設の化粧ねじ８を再利用することもでき、この再利用の場合には新たな固着手段を省略できてリニューアル型照明器具の部品点数を少なくできコストダウンに役立つ。
【００２０】
反射体２２の長手方向中間部の天井壁２２ａ下面には、端子台２４とこの端子台２４に電気的に接続された放電灯安定器２５とが夫々ねじ止め等により固定されている。放電灯安定器２５には、鉄心を用いた放電灯安定器の採用も可能であるが、照明器具２１の光出力の向上、省電力、反射体２２の薄形化、及び中央反射板２９の小形化等が可能であって、かつ、後述の蛍光ランプを高周波点灯させるインバータ方式の電子安定器又は高出力形電子安定器を採用することが望ましい。
【００２１】
反射体２２の天井壁２２ａの長手方向両端部には、電線通孔２８が形成されているとともに、この通孔２８の両側近傍に位置してソケット取付け孔２６が夫々形成されている。ソケット取付け孔２６は夫々長細い角孔からなる。これらの孔２６、２８は天井壁２２ａに穿たれた孔で形成してもよいし、又は、天井壁２２ａに設けた切欠きの開放端を前記端壁２２ｃで塞ぐことによって形成してもよく、また、両孔２６、２８は天井壁２２ａの長手方向に離して設けてもよい。
【００２２】
電線通孔２８を通して天井裏の図示しない電源線としてのＦケーブル３４が反射体２２の内側に引込まれ、このケーブル３４は前記端子台２４に自己鎖錠式に差込み接続される。なお、Ｆケーブル３４を引込む電線通孔は前記電線通孔２８とは別に設けてもよい。そして、電線通孔２８の大きさは本実施形態ではランプソケット２７が通過できる大きさとしてあるが、これには制約されない。電線通孔２８の孔縁には図３及び図４に示されるように折り返し縁部２８ａが設けられている。この縁部２８ａは図示のように天井壁２２ａの裏面ではなく下面に折り曲げてもよい。
【００２３】
ランプソケット２７には後述の高周波点灯専用直管型蛍光ランプ（通称Ｈｆランプ）を支持するのに適するものが採用され、これらソケット２７は、図３、図５に示されるようにソケットボディ３５の上縁部３５ａとその直下に位置される一対の弾性変形可能な係止爪３６とを有している。上縁部３５ａはソケット取付け孔２６より大きい。各ランプソケット２７は、そのソケットボディ３５を反射体２２の裏面側からソケット取付け孔２６に挿入することによって、係止爪３６を弾性変形させながらソケット取付け孔２６に通過させ、その通過と同時に前記上縁部３５ａと係止爪３６の先端とでソケット取付け孔２６の孔縁を挟持し、それによって、ソケット取付け孔２６に挿着されるものである。
【００２４】
図３に示されるように各ランプソケット２７は、反射体２２に取付けた状態で反射体２２の裏面側に配置される上部に電線接続口３７を有している。本実施形態においてはソケットボディ３５の上端に露出して電線接続口３７が設けられており、これら接続口３７に電線３２の一端を差込むことで、この電線３２がソケットボディ３５に内蔵された図示しない接触片に自己鎖錠式に接続されるようになっている。又、電線３２の他端は前記電線通孔２８に通されて前記放電灯安定器２５に自己鎖錠式に差込み接続されている。
【００２５】
反射体２２の両端壁２２ｃ間の間隔と同程度の長さを有した前記中央反射板２９は、例えば断面Ｖ字形状をなしており、反射体２２の幅方向中央部に位置しかつ端子台２４、放電灯安定器２５、及び電線通孔２８を覆い隠して反射体２２内に取付けられている。中央反射板２９は、それに設けたスリット状の図示しない係止孔を、天井壁２２ａの下面に固定された複数の反射板ホルダ３８（図１に一つのみ示す。）が有するフック状の係止部３８ａに引っ掛けることにより、反射体２２に取付けられる。なお、この構成に代えて、中央反射板２９の上縁から外側に向けて折り曲げられた舌片を、天井壁２２ａに対応して設けられた切りダボのスリット状の孔に差込んで引っ掛けることにより、反射体２２に取付けるようにしてもよい。
【００２６】
この中央反射板２９の両側に前記ランプソケット２７が位置されており、これらソケット２７によって直管型蛍光ランプ３３が支持されている。これらのランプ３３には好ましくは既述のＨｆランプ３３が使用される。
【００２７】
次に、既設の天井埋め込み型照明器具を更新（リニューアル）する手順について説明する。
【００２８】
まず、既設の照明器具から蛍光ランプ１０を取外した後、各化粧ねじ８を外して反射体９を取外し、次に、各ランプソケット７を夫々取除いて、天井３には既設の器具本体１のみが残るようにする。この本体１には図示しない端子台及び放電灯安定器５が内蔵されたままであり、前記端子台に接続されている電源線としてのＦケーブル３４が端子台から引き外される。
【００２９】
次に、リニューアル型照明器具２１の天井への装着を行なう。この装着に際し、端子台２４及び放電灯安定器２５が天井壁２２ａの下面に予め取付けられるとともに、各ソケット取付け孔２６に夫々ランプソケット２７が取付けられた反射体２２が用意される。こうした各電気部品の反射体２２への取付けは、照明器具２１の生産工場又は照明器具２１の取付け施行現場で行われ、その際放電灯安定器２５と各ランプソケット２７とは電線３２を介して予め接続された安定器アッセンブリ（点灯装置アッセンブリ）として供給される。
【００３０】
したがって、放電灯安定器２５を天井壁２２ａの下面にねじ止めした後における各ランプソケット２７の取付けは、ソケット２７をそれに接続された電線３２とともに天井壁２２ａの下側から電線通孔２８に通して天井壁２２ａの上側（反射体２２の裏面側）に引出した後、ランプソケット２７をソケット取付け孔２６にその上側から挿入することにより行われる。この挿入に伴いソケットボディ３５の一対の係止爪３６は、互いに間隔が狭まる方向に弾性変形しながらソケット取付け孔２６の孔縁を通過し、その直後に元の状態に復帰するので、これら係止爪３６とソケットボディ３５の上縁部３５ａとの間にソケット取付け孔２６の孔縁が挟まれ、したがって、ランプソケット２７が反射体２２に取付けられる。そして、この取付けに伴って、既述のように電線通孔２８に通された電線３２の安定器側部分は天井壁２２ａの下面に配線され、電線３２のソケット側部分は天井壁２２ａの上面（反射体２２の裏面）に配線される。
【００３１】
以上のように組立てて用意された反射体アッセンブリは、反射体２２の周縁部２２ｄが天井埋め込み孔４の下面周囲に当接するように天井埋め込み孔４内に挿入され、その際に一方の電線通孔２８を通して既述のＦケーブル３４を反射体２２の内側に引込んでから、既設の器具本体１に固定される。この固定は、天井壁２２ａに開けられた各取付け孔３１の夫々にねじ２３を上向きに通し、これらのねじ２３を既設の器具本体１の固定金具２が有しているねじ孔に夫々ねじ止めして行なう。言い換えれば、反射体２２を既設の器具本体１に連結することにより行われる。
【００３２】
この場合、ランプソケット２７は反射体２２の天井壁２２ａに対してその裏側に殆ど突出することなく取付けられているので、既設の器具本体１のソケット取付け金具６の真下にランプソケット２７の上端が対向配置されるも、ソケット取付け金具６が邪魔になることはない。しかも、端子台２４、放電灯安定器２５、ランプソケット２７等の各種電気部品はその少なくとも殆どの部分が反射体２２の内側に配置されていることにより、これらの電気部品が既述の更新に際して既設の器具本体１と干渉して作業上の邪魔となることもない。そして、以上の手順で天井３に固定された反射体２２は既設の器具本体１を覆い隠す。
【００３３】
この後、引込まれたＦケーブル３４を端子台２４に差込み接続してから、中央反射板２９を反射体２２の幅方向に対向するランプソケット２７間に位置されるように反射体２２の内側に取付ける。この取付けは、中央反射板２９のスリット状係止孔２９ａを、天井壁２２ａの下面の反射板ホルダ３８が有するフック状係止部３８ａに引っ掛けることにより行われる。こうして取付けられた中央反射板２９によって、端子台２４、放電灯安定器２５、電線通孔２８、及びこの通孔２７を通った電線３２のうち安定器側部分が夫々覆い隠される。
【００３４】
最後に、反射体２２の長手方向に対向するランプソケット２７間に直管型のＨｆランプ３３を取付ける。以上の手順により既設の照明器具を新規の照明器具２１に更新でき、その状態は図１に示されている。
【００３５】
このようにして天井３に更新して設置された照明器具２１においては、その反射体２２に取付けられた放電灯安定器２５とランプソケット２７とを電気的に接続した電線３２を、安定器側については中央反射板２９で覆い隠すことができるとともに、反射体２２の裏面側に配線されたソケット側については反射体２２の天井壁２２ａで覆い隠すことができる。又、電線通孔２８を通って引込まれたＦケーブル３４も中央反射板２９で覆い隠すことができる。
【００３６】
したがって、組立てられたリニューアル型照明器具２１の内側に電線３２類が露出することがないので、ランプソケット２７に至る電線３２が視認されて器具体裁を損なうことがなく、更新された照明器具２１の視環境を向上できる。この場合、中央反射板２９は、端子台２４、放電灯安定器２５、及び電線通孔２８を覆い隠すために必要な部品であるから、電線類を見えなくするために特別な部品を必要とすることはない。なお、前記のように電線通孔２８を設けて反射体２２の裏側に電線３２を通す構成に代えて、反射体２２の内側に電線３２を引き回してランプソケット２７への配線を行なう場合には、ランプソケット２７側において電線３２を隠すためのカバー部材を反射体２２の端部に取付ける必要があるが、こうした対策も省略できる。したがって、極めて簡単な構造により、更新された照明器具２１の視環境を向上できるものである。
【００３７】
なお、図１及び図６中符号３９は必要に応じて中央反射板２９の下部に取付けて使用されるバッフル等の制光体であり、これを用いる場合には、更に視環境を向上できるだけではなく、光の照射方向が制光体３９により制御されるので、パソコンのディスプレイなどへの光の映り込み等も防止できる点で優れる。
【００３８】
又、既述のように電線３２を介して予め放電灯安定器２５に接続されたランプソケット２７を、電線通孔２８に通して反射体２２の内側から裏面側に通して、この裏面側からソケット取付け孔２６に挿入して取付けを行なう構成により、放電灯安定器２５とランプソケット２７とを予め電線３２を介して接続させた安定器アッセンブリとして取扱うことができる。したがって、これらの部品の反射体２２への取付けを既述のように実施できるから、その取付け作業性を向上できる。
【００３９】
しかも、電線通孔２８の孔縁には折り返し縁部２８ａが設けられているから、この通孔２８にランプソケット２７を通す際に、作業者が前記孔縁によって傷を負う恐れがなくなり、より作業性を向上できる。それだけではなく、この電線通孔２８に通されたＦケーブル３４や電線３２等の絶縁被覆が前記孔縁と擦れ合って損傷し漏電に至る恐れもなくすことができる。
【００４０】
又、既述のように更新される照明器具２１にあっては、既設の照明器具の器具本体１を天井埋め込み孔４内に残したまま取外す必要がないので、照明器具２１の更新作業を容易に行なえる。しかも、残した既設の器具本体１を照明器具２１を支持する部材として利用するので、設備コストを抑えることができるとともに、更新に伴う廃棄物も少なくできる。更に、反射体２２に必要とされる各種の電気部品を取付けたから、これらの電気部品を支持する基体及びこれを既設の器具本体１に固定するための部品等も必要としないので、更新される照明器具２１は部品点数が少なくしかも既述のように取付け工数も少ないので、設備コストを低減できる。
【００４１】
そして、更新された照明器具２１は、高周波点灯専用のインバータ方式の電子安定器を放電灯安定器２５として使用しているから、この安定器２５の幅が狭いことに伴い中央反射板２９の幅を狭くできるとともに、直管型蛍光ランプ３３も高周波点灯専用のＨｆランプであって、その管径が既設の一般的な直管型蛍光ランプに比較して細いから、このＨｆランプ３３の交換時に指の挿入スペースを大きく確保して、その作業性を高めることができる。しかも、このＨｆランプ３３が高周波点灯されることから、事務所照明等において既設の照明器具と同じ設置数で既設の照明器具より床面照度を高めることができる。
【００４３】
【発明の効果】
本発明は、以上説明したような形態で実施され、以下に記載されるような効果を奏する。
【００４５】
請求項１に記載の発明によれば、端子台、点灯装置、及び電線通孔を覆い隠すために必要な中央反射板及び反射体の天井壁を利用して、点灯装置とランプソケットとを接続した電線及び反射板の内側に引き込まれる電源線の露出をなくしたから、簡単な構造でありながら器具体裁を向上できる。また、点灯装置とランプソケットとを予め電線を介して接続させたアッセンブリとして取扱うことができるので、反射体に対する部品の取付け作業性を向上できる。
【図面の簡単な説明】
【図１】本発明の第１の実施の形態に係る照明器具を一部断面して示す側面図。
【図２】図１に示された照明器具を分解して示す斜視図。
【図３】図１に示された照明器具が備える反射体の一端部を示す斜視図。
【図４】図３中Ｚ−Ｚ線に沿って示す断面図。
【図５】（Ａ）は第１の実施の形態に係る照明器具に使用するランプソケットを示す正面図。（Ｂ）は図５（Ａ）のランプソケットを示す側面図。
【図６】第１の実施の形態に係る照明器具を既設の照明器具の器具本体に取付ける状態を示す断面図。
【図７】既設の天井埋め込み型照明器具を一部断面して示す側面図。
【符号の説明】
１…既設の器具本体、
２…固定金具、
４…天井埋め込み孔、
２１…更新される照明器具、
２２…反射体、
２２ａ…反射体の天井壁、
２２ｄ…反射体の周縁部、
２３…ねじ（固定手段）、
２４…端子台、
２５…放電灯安定器（点灯装置）、
２６…ソケット取付け孔、
２７…ランプソケット、
２８…電線通孔、
２８ａ…電線通孔の折り返し縁部、
３２…電線、
３３…直管型蛍光ランプ。
【図１】
0003925677.tif 000002
【図２】
0003925677.tif 000003
【図３】
0003925677.tif 000004
【図４】
0003925677.tif 000005
【図５】
0003925677.tif 000006
【図６】
0003925677.tif 000007
【図７】
0003925677.tif 000008